(57)【特許請求の範囲】
【請求項１】
フェムトセル（１０４）と重複するマクロセル（１００）の信号干渉を前記フェムトセル（１０４）が低減する方法であって、
前記フェムトセル（１０４）が、前記重複するマクロセル（１００）のソフト周波数再利用（ＳＦＲ）情報を取得すること（３００）、
前記フェムトセル（１０４）が、前記得たＳＦＲ情報を分析して、前記マクロセル（１００）のセル中央ユーザに割り当てられる周波数サブチャネルと、前記マクロセル（１００）のセル端ユーザに割り当てられる周波数サブチャネルとを区別すること（３０２）、
前記フェムトセル（１０４）が、前記マクロセル（１００）のセル中央ユーザに割り当てられる周波数サブチャネルに、フェムトセルのダウンリンク伝送の高いスケジュール優先順位を付与すること（３０４）、
前記フェムトセル（１０４）が、高いスケジュール優先順位の周波数サブチャネルで、前記フェムトセル（１０４）のユーザに伝送すること（３０６）
を備える、方法。
【請求項２】
前記ＳＦＲ情報が、ＳＦＲパターンおよび電力プロファイルからなるグループから選択される、請求項１に記載の方法。
【請求項３】
ＳＦＲ情報を取得することが、バックホール通信により前記ＳＦＲ情報を取得することを含む、請求項１に記載の方法。
【請求項４】
前記バックホール通信が、Ｒｅｌａｔｉｖｅ−Ｎａｒｒｏｗｂａｎｄ−ＴＸ−Ｐｏｗｅｒ−ＩｎｄｉｃａｔｏｒメッセージングをサポートするＸ２インターフェイスを含む、請求項３に記載の方法。
【請求項５】
ＳＦＲ情報を取得することが、前記マクロセルのダウンリンク基準信号を測定することにより、前記ＳＦＲ情報を取得することを含む、請求項１に記載の方法。
【請求項６】
前記フェムトセルが、前記マクロセルのセル端ユーザに割り当てられる周波数サブチャネルに、フェムトセルのダウンリンク伝送の低いスケジュール優先順位を付与すること、
前記フェムトセルが、低いスケジュール優先順位の周波数サブチャネルで、前記フェムトセルのユーザに伝送することをさらに備える、請求項１に記載の方法。
【請求項７】
前記フェムトセルが、前記重複するマクロセルの前記ＳＦＲ情報の変化を検出すること、
前記フェムトセルが、前記取得するステップ、前記分析するステップ、前記付与するステップ、および前記伝送するステップを繰り返すことをさらに含む、請求項１に記載の方法。
【請求項８】
前記フェムトセルが、前記取得するステップを周期的に実行すること、
前記重複するマクロセルの前記ＳＦＲ情報が変わった場合、前記フェムトセルが、前記分析するステップ、前記付与するステップ、および前記伝送するステップを繰り返すことをさらに備える、請求項１に記載の方法。
【請求項９】
フェムトセルを制御するコントローラ（１０４）であって、
トランシーバ（２００）と、
前記トランシーバ（２００）に動作可能に接続されるプロセッサ（２０２）であって、前記フェムトセルと重複するマクロセル（１００）のソフト周波数再利用（ＳＦＲ）情報を得て（３００）、
前記得たＳＦＲ情報を分析して、前記マクロセル（１００）のセル中央ユーザに割り当てられる周波数サブチャネルと、前記マクロセル（１００）のセル端ユーザに割り当てられる周波数サブチャネルとを区別し（３０２）、
前記マクロセル（１００）のセル中央ユーザに割り当てられる周波数サブチャネルに、フェムトセルのダウンリンク伝送の高いスケジュール優先順位を付与し（３０４）、
前記トランシーバ（２００）により、高いスケジュール優先順位の周波数サブチャネルで、前記フェムトセルのユーザに伝送する（３０６）ように構成される前記プロセッサとを備える、コントローラ（１０４）。
【発明の詳細な説明】
【技術分野】
【０００１】
本発明は、一般に無線通信に関し、より詳細にはセルラ送信機の間の干渉低減に関する。
【背景技術】
【０００２】
周波数を再利用する無線ネットワーキング環境（例えば携帯電話ネットワークやデータネットワーク）では、モバイル機器は、たとえそのモバイル機器が通常は一度に１つの送信機としかアクティブ通信しないとしても、複数の送信機から同時に信号を受信することが多々ある。モバイル機器は、これらの信号の強度をモニタする。ある信号の強度が、モバイル機器がアクティブ通信している送信機から受信される信号の強度よりも強くなるとき、そのモバイル機器は、その現在の送信機からより強い信号を有する送信機に「ハンドオフ」される（モバイル機器が測定する信号の強度は、モバイル機器が送信機により近づき、または送信機からより離れるにつれ、それぞれ一般により強くまたはより弱くなることに留意されたい）。その後、モバイル機器は新たな送信機とアクティブ通信する。モバイル機器は自らが受信する信号の強度をモニタし続け、さらに別の送信機にハンドオフされ得る。
【０００３】
このハンドオフ方法は、モバイル機器が、最も強い信号を有する送信機（大抵は最も近くにある送信機）に自らの通信を有利に導くことを可能にする。この方法は、干渉を低減するという利点ももたらす。モバイル機器が複数の送信機から信号を受信するとき、そのモバイル機器がアクティブ通信している送信機以外のすべての送信機からの信号は、そのモバイル機器とそのモバイル機器の選択済み送信機との間の伝送と干渉する可能性がある。干渉信号の強度がより強くなるにつれて（例えばモバイル機器が干渉送信機により近づくにつれて）、干渉量は増える。上記のハンドオフ方法では、モバイル機器が最も強い信号を有する送信機にいずれは切り替えるので、干渉の問題は解決される。したがって、一旦は最大の干渉源であったものがモバイル機器の通信相手となり、干渉源である送信機はなくなる。
【０００４】
このハンドオフ方法は、最も強い信号を有する送信機にモバイル機器をハンドオフすることを通信網が認める場合にのみ、干渉を低減するという利点をもたらす。上記のような場合が多いが、送信機の信号が「私設」送信機からの信号と重複する場合、上記が当てはまらないことがある。本明細書では以下のセルラネットワークの用語を使用する。「通常の」または非私設送信機は「マクロセル」送信機と呼び、私設送信機は「フェムトセル」送信機と呼ぶ。フェムトセルのプロバイダは、そのフェムトセルが、現れるモバイル機器全てのためのアクティブ送信機にならないようにするために、そのフェムトセルを保護することができる（多くの場合これは、周知の認証およびセキュリティプロトコルを使用してフェムトセルにログインする方法を知るモバイル機器だけをフェムトセルがホストすることを意味する）。フェムトセルは、マクロセル送信機が使用するよりもはるかに低い電力レベルで通常は伝送するが、モバイル機器がフェムトセル送信機の「十分近く」に移動する場合、フェムトセルの信号が現在のハンドオフ方法では対処できない干渉源になり得る。場合によっては干渉があまりにもひどく、マクロセル内に「カバレッジホール」を作り出す。
【０００５】
上記の例をもう少し詳細に繰り返すと、モバイル機器は、フェムトセルの信号がモバイル機器のマクロセル送信機との通信と干渉する（または潜在的に干渉する）まで、保護されたフェムトセル送信機に近づく。この特定のモバイル機器はそのフェムトセルにアクセスする権限を付与されておらず、よってそのフェムトセルにハンドオフすることはできない。モバイル機器は、たとえマクロセルから受信する信号がより近くのフェムトセルから受信する信号よりも弱い可能性があっても、引き続き自らのマクロセル送信機と通信しなければならない。フェムトセルからの干渉は増大し、現在の方法では軽減することはできない。当然の結果として、モバイル機器とそのマクロセルとの間の伝送は、フェムトセルとその機器との間の伝送と干渉する可能性がある。
【発明の概要】
【課題を解決するための手段】
【０００６】
上記の考慮事項および他の事項は、本明細書、諸図面、および特許請求の範囲を参照することによって理解することができる本発明によって対処される。本発明の諸態様によれば、重複するマクロセル内のフェムトセルが、重複するマクロセルのソフト周波数再利用（「ＳＦＲ」）情報を特定する。そのＳＦＲ情報から、フェムトセルは、どの周波数サブチャネルがそのセル中央ユーザ（例えばモバイル機器やセルラ機能を備えるラップトップコンピュータ）のためにマクロセルによって割り当てられ、どの周波数サブチャネルがセル端ユーザのために割り当てられるのかを特定する。（隣接するマクロセルとの起こり得る干渉を克服するために、マクロセルはセル端ユーザにより強い伝送電力プロファイルを通常は付与する。）フェムトセルは、フェムトセルのユーザ（つまりそのフェムトセルにアクセスする権限を付与され、かつそのフェムトセルに現在アクセスしているモバイル機器）への伝送を行うために、セル中央ユーザの周波数サブチャネルの中から（つまりより低い電力のサブチャネルの中から）選択する。セル中央ユーザの周波数サブチャネルで伝送することにより、フェムトセルは、重複するマクロセルの伝送との干渉を低減する。
【０００７】
フェムトセルは、マクロセルのＳＦＲ情報についての自らの知識を更新し続け、ＳＦＲが変更すると周波数サブチャネルを再割り当てする。
マクロセルのＳＦＲ情報を特定するために、フェムトセルは既知のセルラ通信技法を使用することができる。例えば、フェムトセルは、３ＧＰＰ  ＬＴＥシステム内でＸ２インターフェイスを介してＲｅｌａｔｉｖｅ−Ｎａｒｒｏｗｂａｎｄ−ＴＸ−Ｐｏｗｅｒ−Ｉｎｄｉｃａｔｏｒメッセージを受信するために、バックホール通信を使用することができる。フェムトセルは、マクロセルのダウンリンク基準信号を直接測定することもできる。
【０００８】
互換性のある方法では、マクロセルが一部の実施形態において、上記で論じたように自らのセル中央ユーザが使用するための周波数サブチャネルと、自らのセル端ユーザが使用するための周波数サブチャネルとを割り当てる。自らのセル中央ユーザの１つがフェムトセルに「十分近い」ことをマクロセルが検出する場合、マクロセルは、干渉を克服するためにそのセル中央ユーザをセル端ユーザとして再割り当てする（つまりマクロセルは、より強い電力を有する周波数サブチャネルにそのユーザを再割り当てする）。代替実施形態では、セル中央ユーザが使用するために割り当てられる周波数サブチャネルを、マクロセルが２つのサブセットに分割する。第１のサブセット内の周波数サブチャネルには、より強い電力が割り当てられる。セル中央ユーザがフェムトセルに「十分近い」ことをマクロセルが検出する場合、干渉を克服するためにそのセル中央ユーザは第１の（すなわちより強い電力の）サブセット内の周波数サブチャネルに割り当てられる。
【０００９】
マクロセルは、自らのセル中央ユーザがフェムトセルに「十分近い」ことを、そのフェムトセルを含む隣接リストをユーザからまず受信することによって判定することができる。ユーザは、自らの近隣から、とりわけフェムトセルから受信する信号の強度をマクロセルに伝える。フェムトセルから受信する信号の強度が閾値を上回る場合、ユーザはそのフェムトセルに「十分近い」。
【００１０】
特許請求の範囲が本発明の特徴を詳細に規定するが、本発明の目的および利点とともに、本発明は、以下の詳細な説明を添付図面と併せて解釈することにより最も良く理解することができる。
【図面の簡単な説明】
【００１１】
【図１ａ】マクロセルがフェムトセルと重複する代表的環境の概要を示す図である。
【図１ｂ】マクロセルがフェムトセルと重複する代表的環境の概要を示す図である。
【図２】フェムトセルまたはマクロセル用のコントローラの概略図である。
【図３】フェムトセルが、重複するマクロセルとの信号干渉を低減するための例示的方法の流れ図である。
【図４】マクロセルが、重複するフェムトセルとの信号干渉を低減するための例示的方法の流れ図である。
【図５ａ】マクロセルによって割り当てられる周波数サブチャネルの電力プロファイルのグラフである。
【図５ｂ】マクロセルによって割り当てられる周波数サブチャネルの電力プロファイルのグラフである。
【発明を実施するための形態】
【００１２】
同じ参照番号が同じ要素を指す図面を参照し、本発明が適切な環境内で実施されるものとして示す。以下の説明は、本発明の諸実施形態に基づき、本明細書に明示的に記載していない代替実施形態に関して本発明を限定するものとして理解すべきではない。
【００１３】
図１ａは、周波数再利用通信環境を示す。コントローラ１００（当技術分野で既知の関連するインフラ要素を備える）が、地理的領域１０２にわたって通信する。現在の世界におけるほとんどの周波数再利用環境はセルラ無線技術に基づくので、この説明ではセルラ用語を使用し、コントローラ１００を「マクロセルコントローラ」と呼び、マクロセルコントローラが通信する地理的領域を「マクロセル」と呼ぶ。ただし、本発明は用語「セルラ」に関連する特定の技術および実施形態に限定されるのではなく、任意の周波数再利用通信環境に適用されることに留意されたい。
【００１４】
説明を簡略化するために、単独で使用する用語「マクロセル」は、（「マクロセル１００は周波数を割り当てる」などの場合）マクロセルコントローラ１００を指すことがあり、（「モバイル機器１０８はマクロセル１０２の端に移動する」などの場合）地理的領域１０２を指すこともある。「マクロセル」の使用法は、常に文脈から明瞭である。
【００１５】
図１ａでは、フェムトセルコントローラ１０４が、マクロセル領域１０２と重複する狭い地理的領域１０６にわたって通信する。（ここでもやはり、この解説における用語「フェムトセル」は、フェムトセルコントローラ１０４を指すことがあり、フェムトセル領域１０６を指すこともある。）
通信機能を備える機器１０８を使用する人が示されている。機器１０８は、マクロセル１００と通信する機能を備える任意のものとすることができる。典型的な機器１０８には、携帯電話、携帯情報端末、ラップトップコンピュータ、および他のモバイルまたは固定型コンピューティングデバイスが含まれる。機器１０８はマクロセル１００と通信するので、本明細書の解説では機器１０８をマクロセル１００の「ユーザ」と呼ぶ。本明細書の解説では、用語「ユーザ」は人間ではなく通信装置のために確保されることに留意されたい。
【００１６】
図１ａは、フェムトセル１０４のユーザ１１０も示す。フェムトセル１０４は、特定のユーザにしかアクセスを許可しないように構成する。フェムトセル１０４が提供する通信サービスを使用するためには、ユーザ１１０は、登録済みユーザとして自らを認証しなければならない。適切な認証技法は当技術分野で既知である。
【００１７】
図１ａのフェムトセル１０６は、マクロセル１０２の中に完全に含まれ、マクロセル１０２の端付近に示されている。現実的な視点から見れば、「マクロセル１０２の端付近」とは、「マクロセルコントローラ１００から遠いが、マクロセルコントローラ１００の通信範囲内に依然としてあること」を意味する。そうでなくてもよい。重要な点は、マクロセル領域１０２とフェムトセル領域１０６とがいくらか重複していることである。図１ｂは、わずかに異なる通信環境を示し、フェムトセル１０６がマクロセル１０２の中心付近にある。「マクロセル１０２の中心付近にある」とは、「マクロセルコントローラ１００付近にあること」を意味する。本発明の一部の実施形態は、以下で十分に論じるように図１ａおよび図１ｂの環境を異なるように扱う。
【００１８】
図２に、マクロセル１００およびフェムトセル１０４のコントローラの機能要素についての非常に単純化した図を示す。現実には周波数再利用通信環境をサポートするネットワークインフラは、極めて複雑であることが多く、多数のハードウェア装置、ソフトウェアプログラムおよびファームウェアプログラム、ならびにすべての要素をつなぐ通信プロトコルを含む。このインフラの詳細は当技術分野で既知であり、そのため本明細書の解説は、本発明の諸実施形態によって変更される側面だけに自由に焦点を当てることができる。
【００１９】
図２のコントローラ１００、１０４は、通信トランシーバ２００およびアンテナ２０２によりそのユーザ１０８、１１０と通信する。通信はプロセッサ２０２の制御下にある。すべてではないが一部のコントローラ１００、１０４は、コントローラ１００、１０４が周波数再利用通信環境内の他のインフラ装置と通信することを可能にするバックホールインターフェイス２０４を含む。一例として、そのバックホールインターフェイスは、３ＧＰＰ  ＬＴＥシステム内の既知のＸ２インターフェイスとすることができる。
【００２０】
図３および図４ならびに本発明の実施形態の説明に進む前に、周波数再利用についての順を追って簡単に概説する。図５ａは、通信に使用される周波数サブチャネルに伝送電力がどのように割り当てられるのかについての２つの例を示す。電力スペクトルのグラフ５００では、Ｆ１で示す周波数サブチャネルに、他の周波数サブチャネルＦ２およびＦ３に割り当てられるよりも強い電力プロファイルが割り当てられている。電力スペクトルのグラフ５０２は、周波数サブチャネルＦ３により多くの電力を割り当てる。差し当たりフェムトセルを無視し、あるマクロセル１００はスペクトル５００を使用できる一方で、隣接するマクロセル（図面には不図示）はスペクトル５０２を使用する。隣接するマクロセルに割り当てられる電力スペクトル５００、５０２の差異により、隣接するマクロセル間の伝送干渉が減る。隣接するマクロセルのコントローラは、互いに（場合により無線通信またはＸ２バックホールインターフェイス２０４によって）自らのスペクトルを調整して干渉を減らし、必要に応じて自らの電力スペクトルを時間の経過に伴い変えることができる。
【００２１】
背景技術の節で述べたように、マクロセル１００のユーザ１０８が隣接するマクロセルに近づくと、隣接するマクロセルは干渉を低減する。ユーザ１０８は「ハンドオフ」され、つまりユーザ１０８は自らが受信する最も強い信号（または最も強い信号のうちの１つ）を使用し始め、したがって自らの最大の干渉源を有用な通信チャネルへと変える。
【００２２】
次に図３を参照すると、本発明の態様を伴う典型的なシナリオは、マクロセル１００のユーザ１０８がフェムトセル１０４に接近するというものである。フェムトセル１０４からの信号干渉によって測定されるように、その接近は、もしフェムトセル１０４が単に別のマクロセルであった場合、ユーザ１０８はフェムトセル１０４にハンドオフしたくなるほど「十分近い」。しかし、ユーザ１０８はフェムトセル１０４にハンドオフする権限を取得されていない（またはハンドオフすることを望まない）。この状況に対処するために、フェムトセル１０４は図３に示す例示的方法を実行する。
【００２３】
この方法は、フェムトセル１０４が、重複するマクロセル１００からソフト周波数再利用（「soft-frequency-reuse:ＳＦＲ」）情報を受信するステップ３００で始まる。このＳＦＲ情報は、周波数サブチャネルに割り当てられる電力スペクトルなどのパターン情報およびプロファイル情報を含む（図５ａ参照）。フェムトセル１０４がこの情報を検出するために、既知の技法を使用することができる。一部の実施形態では、フェムトセル１０４が、Ｘ２バックホール通信インターフェイス２０４を介し、この情報をＲｅｌａｔｉｖｅ−Ｎａｒｒｏｗｂａｎｄ−ＴＸ−Ｐｏｗｅｒ−Ｉｎｄｉｃａｔｏｒメッセージングとして受信する。他の実施形態では、フェムトセル１０４は、マクロセル１００によって伝送されるダウンリンク基準信号を直接測定することによりこの情報を復号する。
【００２４】
ステップ３０２で、フェムトセル１０４は、マクロセル１００から受信したＳＦＲ情報を分析する。フェムトセル１０４は、マクロセル１００によりセル中央ユーザに割り当てられる周波数サブチャネルと、セル端のユーザに割り当てられる周波数サブチャネルとを区別することができる。ここでの推論は、ユーザ１０８がマクロセル１０２の中央付近にあるとき、（差し当たりフェムトセルの干渉があり得ること無視し）マクロセル１００からユーザ１０８への伝送はより低い電力設定であり得ることである。ユーザ１０８がマクロセル１０２の端に接近すると、隣接するマクロセルからの起こり得る干渉を克服するために、伝送はより強い電力にある。
【００２５】
ＳＦＲ情報についての分析に基づき、フェムトセル１０４は、ステップ３０４において、マクロセルのセル中央ユーザが使用する、マクロセル１００によって割り当てられる周波数サブチャネルに、より高いスケジュール優先順位（ｓｃｈｅｄｕｌｅ  ｐｒｉｏｒｉｔｙ）を割り当てる。フェムトセル１０４は、自らのユーザ１１０に対してセル中央周波数サブチャネルで伝送するとき、ステップ３０６で、（例えば図１ａにあるように）この優先順位スケジュールに従う。マクロセル１０２の端付近にあるシナリオでは、フェムトセル１０４が自らの伝送のためにより低い電力のセル中央周波数サブチャネルを使用することで、フェムトセル１０４とマクロセル１００との間の干渉量が低減し、その理由は、マクロセル１００のユーザ１０８が（マクロセル１０２の端付近にあり、よってフェムトセル１０４付近にあるとき）セル端周波数サブチャネルを使用するからである。（図４を参照して以下に説明するように、フェムトセル１０４がマクロセル１００の中央付近にあるシナリオでは、マクロセル１００は、信号干渉を低減するためにさらなる処置を取ることができる。）
任意選択的なステップ３０８は、特定の状況において、フェムトセル１０４がセル端（より強い電力の）周波数サブチャネルのうちの１つを使用しなければならない場合があるという注記に過ぎない。
【００２６】
フェムトセル１０４は周期的に、またはマクロセル１００からのＳＦＲ情報が変わったことを検出したときに（マクロセル１００が隣接するマクロセルと連係して自らの電力スペクトルを変えるときにしばしば予期されるように）図３の方法を繰り返す。
【００２７】
本発明の態様に従い、図４は、マクロセル１００がフェムトセル１０４との信号干渉を低減するためにたどることができる２つの方法を示す。最初の２つのステップで、マクロセル１００は、自らのセル中央ユーザが使用するためのいくつかの周波数サブチャネルを割り当て（ステップ４００）、自らのセル端ユーザが使用するための他の周波数サブチャネルを割り当てる（ステップ４０２）。これらは、上述した図３のステップ３０２でフェムトセル１０４が検出するのと同じ割当である。特定の割り当てを行う際、マクロセル１００は、隣接するマクロセルと連係してそれら隣接するマクロセルとの信号干渉を低減する。
【００２８】
図４のシナリオでは、マクロセル１００のユーザ１０８はセル中央ユーザである。すなわち、ユーザ１０８がマクロセル１０２の端から離れて動作しているため、ユーザ１０８はより低い電力の周波数サブチャネルのうちの１つを使用することができる。しかし、図１ｂに示すように、フェムトセル１０６もマクロセル１０２の端から離れて位置する。ユーザ１０８がフェムトセル１０４に「十分近く」移動するとき、ユーザ１０８とフェムトセル１０４とは潜在的な競合状態になる。ステップ４０４で、マクロセル１００がこの事象（つまりフェムトセル１０４がマクロセル１０２の端から離れて位置し、セル中央ユーザ１０８がフェムトセル１０４に十分近い事象）を検出する。
【００２９】
信号干渉が問題になるほどに自らのユーザ１０８がフェムトセル１０４に十分近いことをマクロセル１００が検出する１つの方法は、ユーザ１０８が自らの「隣接リスト」をマクロセル１００に周期的に報告する標準的な技法に基づく。この隣接リストは、典型的にはユーザ１０８によってその信号が現在受信されているコントローラを、各信号の強度についての指標（ｉｎｄｉｃａｔｉｏｎ）と共に列挙する。ステップ４０４では、報告される隣接リストにフェムトセル１０４が含まれる。ユーザ１０８によって報告される、フェムトセル１０４から受信される信号強度が閾値を上回る場合、またはその信号強度が他の報告された信号に対して強い場合、マクロセル１００は自らのユーザ１０８がフェムトセル１０４に十分近いと判定する。通常の動作では（つまりフェムトセル１０４が隣接するマクロセルに置換される場合）、ユーザ１０８が「十分近い」というこの判定は、ユーザ１０８が受信する最も強い信号を生成しているコントローラに、ユーザ１０８をハンドオフすることをトリガする。しかし図４のシナリオでは、ユーザ１０８をフェムトセル１０４にハンドオフすることができない（例えばユーザ１０８はフェムトセル１０４にアクセスする権限を取得されておらず、またはハンドオフを望まない）。
【００３０】
自らのセル中央ユーザ１０８がフェムトセル１０４に十分近いと判断すると、マクロセル１００は、判断ボックス４０６で、ステップ４０８またはステップ４１０のいずれかに進む。これらの２つのオプションは通常は２つの別個の実施形態になるが、どちらのオプションも１つのマクロセル１００の中で実施することができる。
【００３１】
マクロセル１００がステップ４０８のオプションに進むことを選択する場合、マクロセル１００は（たとえユーザ１０８がマクロセル１０２の端からまだ離れていても）ユーザ１０８をセル端ユーザとしてリスケジュールする。セル端ユーザに割り当てられる周波数サブチャネルはより強い電力プロファイルを有し、このより強い電力により、ユーザ１０８が近くのフェムトセル１０４との干渉を克服することが可能になる。ユーザ１０８が後でフェムトセル１０４から遠ざかる場合、ユーザ１０８をセル中央ユーザとして再びリスケジュールすることができる。
【００３２】
代わりにマクロセル１００がステップ４１０のオプションに進むことを選択する場合、マクロセル１００は、セル中央ユーザに割り当てられる周波数サブチャネルを２つのサブセットに分割する。（当然ながらこの割り当ては、マクロセル１００が周波数サブチャネルをセル端ユーザが使用するためのグループ、およびセル中央ユーザが使用するためのグループに割り当てるときにいつでも行うことができる。ステップ４１０の割り当てを行うために、自らのユーザ１０８がフェムトセル１０４に十分近くなるまでマクロセル１００が待つ必要はない。）分割の過程でマクロセル１００は段階的電力プロファイルを設け、そのプロファイルでは、セル中央ユーザが使用するために割り当てられる周波数サブチャネルの１つのサブセットに、他の周波数サブチャネルよりも強い電力が付与される。このプロファイルを図５ｂのスペクトル５０４によって示す。この例では、セル端ユーザに依然として最も強い電力（周波数サブチャネルＦ１）が付与される一方、セル中央ユーザの一部には他のセル中央ユーザ（周波数サブチャネルＦ３）よりも強い電力（周波数サブチャネルＦ２）が付与される。マクロセル１００は、十分近いユーザ１０８のために、より強い電力を有するセル中央周波数サブチャネルのサブセット（図５ｂのＦ２）に、より高いスケジュール優先順位を付与する。したがってユーザ１０８には、フェムトセル１０４からの信号干渉を克服できるようにするための幾分多い電力が付与される。ユーザ１０８がフェムトセル１０４から遠ざかる場合、より低い電力の周波数サブチャネル（Ｆ３）を使用するようにユーザ１０８をリスケジュールすることができる。
【００３３】
本発明の原理を適用することができる多くの可能な実施形態に鑑みて、諸図面に関連して本明細書に記載した諸実施形態は専ら説明のためであることを意図し、本発明の範囲を限定するものとして解釈すべきでないことを理解すべきである。例えば、全体を通してセルラ用語を使用してきたが、本発明は任意の周波数再利用通信環境内で使用することができる。したがって本明細書に記載の本発明は、そうしたすべての実施形態を特許請求の範囲およびその均等物に含まれ得るものとして考える。
【図１ａ】
0005454986.tif 000002
【図１ｂ】
0005454986.tif 000003
【図２】
0005454986.tif 000004
【図３】
0005454986.tif 000005
【図４】
0005454986.tif 000006
【図５ａ】
0005454986.tif 000007
【図５ｂ】
0005454986.tif 000008